(57)【要約】【課題】本発明は主として車載用音響機器等に使用されるスピーカ装置に関するものであり、簡単な構造でスピーカとスピーカグリルの密着が可能なスピーカ装置の提供を目的とするものである。【解決手段】本発明のスピーカ装置は、円錐形に開いた膜状の部位５ｄをスピーカグリル１２に設けられたリング状のリブ１２ａと当接させる構造とすることで、スピーカとスピーカグリル１２との密着を、エッジ外縁の凸部の材質だけの弾力ではなく、側面押圧による形状に起因する弾力も利用するため、エッジ５ｂの硬さを自由に選択でき、かつスピーカグリル１２とスピーカの密着を確実に行えるものである。【選択図】  図１
2004282590.tif 000002
【特許請求の範囲】
【請求項１】
磁気ギャップを有する界磁部とこの界磁部に結合されたフレームと、内周に前記磁気ギャップに嵌め込まれるボイスコイルを結合し外周にエッジ部を介してフレームに結合される振動板とからなるスピーカと、このスピーカの前面に装着されるスピーカグリルとで構成されるスピーカ装置であって、前記エッジ部に延長して外方に向かう円錐形のシート状の延伸部を設けると共に、この延伸部に前記スピーカグリルの一部が当接するように、このスピーカグリルを装着したスピーカ装置。
【請求項２】
延伸部の円錐状に開いた角度が３０°以上である請求項１に記載のスピーカ装置。
【請求項３】
延伸部の厚みがエッジの厚みと等しいかまたは略等しい厚みとした請求項１に記載のスピーカ装置。
【発明の詳細な説明】
【０００１】
【発明の属する技術分野】
本発明は各種音響機器に使用されるスピーカ装置に関するものである。
【０００２】
【従来の技術】
従来の技術を図２のスピーカ装置の半断面図により説明する。
【０００３】
同図によると、１はスピーカの界磁部を示すものであり、上部プレート１ａとマグネット１ｂとセンターポールを有する下部プレート１ｃにより構成され、上部プレート１ａと下部プレート１ｃのセンターポール部の隙間には磁気ギャップ９が形成されている。また、２は上部プレート１ａに結合されたフレーム、３はボイスコイル、４はボイスコイル３を支持するダンパー、５は内周に磁気ギャップにはめ込まれるボイスコイル３を結合し、外周はフレーム２と結合された振動板である。
【０００４】
また、５ａは振動板５のボディ部であり、５ｂはフレーム２と結合されたエッジである。このエッジ５ｂの外縁部にはエッジ５ｂと一体成形された凸部５ｃが設けられている。
【０００５】
また、８は振動板５のボディ部５ａの上面に結合されたダストキャップである。
【０００６】
さらに、１１は上述のスピーカを取付ける取付板であり、１２はスピーカの前面を保護するスピーカグリルであり、１２ａはスピーカグリル１２の装着時凸部５ｃに圧接するスピーカグリル１２に設けられたリング状のリブであり、１３はスピーカグリル１２と取付板１１とを結合する樹脂クリップである。
【０００７】
なお、上記のごとくスピーカの凸部５ｃにリブスピーカグリル１２のリブ１２ａを押圧してスピーカを装着することでスピーカグリル１２の装着時のガタツキを防止する構成としているものである（例えば特許文献１参照）。
【０００８】
【特許文献１】
特開平１１−１５５１９０号公報
【０００９】
【発明が解決しようとする課題】
しかしながら、上述のスピーカは、取付板１１にスピーカを取付け後、スピーカの前面を保護するスピーカグリル１２を取付ける際に、スピーカグリル１２に設けられたリング状のリブ１２ａとエッジ５ｂの外縁部の凸部５ｃを当接し、凸部５ｃの材質の持つ弾力を用いて密着構造とすることでスピーカグリル１２の振動による異常音を抑制するが、エッジ５ｂと外縁部の凸部５ｃは一体成形で構成するため材質の硬さも同一となる。よって、音質を変える目的でエッジ５ｂを硬くした場合は外縁部の凸部５ｃも同様に硬くなり、結果スピーカグリル１２とスピーカの密着が確実に実施できないという課題を有するものであった。
【００１０】
本発明はこのような課題を解決するもので、従来と同様の構成としながらも、エッジの硬さを自由に選択でき、かつスピーカグリルとスピーカの密着を確実に行えるスピーカ装置を提供するものである。
【００１１】
【課題を解決するための手段】
上記課題を解決するために、本発明のスピーカ装置の請求項１に記載のものは、エッジ部に延長して外方に向かう円錐形のシート状の延伸部を設けると共に、この延伸部に前記スピーカグリルの一部が当接するようにスピーカグリルを装着したものであり、スピーカグリルとスピーカ本体との密着をエッジの外縁に設けた凸部の材質の厚み方向の弾力だけでなく、円錐状に形成した延伸部の円錐形状の復元力としての弾性力を利用するため、スピーカグリルとスピーカ本体との密着を損なうことなく、エッジの固さの選択（音質の選択）の自由度の拡大を図れるスピーカ装置の提供を可能とするものである。
【００１２】
本発明のスピーカの請求項２に記載の発明は、請求項１に記載のエッジの延伸部の円錐状に開いた角度が３０°以上としたものであり、スピーカグリルのスピーカ本体への装着時の密着状態を容易に確保できるものである。
【００１３】
【発明の実施の形態】
以下、本発明のスピーカの一実施の形態について図１（ａ），（ｂ）により説明する。説明にあたっては、従来技術と同一部分には同一番号を付し、説明を省略して説明する。
【００１４】
（実施の形態１）
図１は本発明のスピーカ装置の一実施の形態の半断面図であり、図１（ａ）はスピーカグリルの装着前、図１（ｂ）はスピーカグリルの装着後を示している。
【００１５】
同図によると、従来技術との相違点はエッジ５ｂと一体にこれを延長してシート状で且つ円錐状の延伸部５ｄを設けた点である。この延伸部５ｄの側面をスピーカグリル１２のリング状のリブ１２ａと圧（押圧）接させることで、従来のように凸部５ｃの厚みと材質の弾性力に依っていたリブ１２ａとエッジ５の密着を、円錐状に形成した延伸部５ｄのリブ１２ａによる側面押圧に抗する弾性（復元）力も利用するものである。
【００１６】
上記構成により、エッジ５ｂの延伸部５ｄの材質の弾力性のみならず円錐状に形成した形状に基づく弾性も利用して密着を可能とすることで、音質設計上のエッジ材質の選択の自由度を拡大し、ユーザの要求に応えられる音質のスピーカの提供を可能とするものである。
【００１７】
なお、延伸部５ｄの円錐形に開いた開口角度Ａを３０°以上とすることでスピーカグリル１２をスピーカ取付板１１へ装着するときに、延伸部５ｄがリブ１２ａの内側に入り込むことを防ぎ、装着時の作業性を向上させることができるものである。
【００１８】
また、本発明においては、上記構成とすることで、延伸部５ｄの厚みを従来の凸部５ｃのように厚くしなくても、弾力性を得られる形状であればよく、エッジ５ｂと同じかまたは略同一かまたはそれより薄く設定することも可能である。
【００１９】
【発明の効果】
以上のように本発明は、スピーカグリルとスピーカの密着を維持しながら、エッジの選択の自由度を拡大し、音質の多様化に対応したスピーカ装置の提供を可能とするものである。
【図面の簡単な説明】
【図１】（ａ）本発明のスピーカ装置の一実施の形態のスピーカグリル装着前の半断面図
（ｂ）同スピーカグリル装着後の半断面図
【図２】従来のスピーカ装置の半断面図
【符号の説明】
１  界磁部
２  フレーム
３  ボイスコイル
５  振動板
５ａ  ボディ部
５ｂ  エッジ
５ｃ  凸部
９  磁気ギャップ
１１  スピーカ取付板
１２  スピーカグリル
１２ａ  リブ
【図１】
2004282590.tif 000003
【図２】
2004282590.tif 000004